(57)【要約】【課題】照明器具１５と天井仕上げ材３との一体感のある意匠性が得られ、かつ天井下地構成材１の位置に関係なく天井面の任意の位置に照明器具１５を設置できるようにする。【解決手段】天井下地構成材１の下面に天井下地板材２，２，…が設けられ、この天井下地板材２，２，…の下面に天井仕上げ材３，３，…と薄型の照明器具１５とが並んで設けられている。天井下地板材２，２，…の下面において、照明器具１５を取り付けるための照明器具取付位置Ｐにボードアンカー５，５，…が固定され、このボードアンカー５，５，…に取付部材１０が固定され、この取付部材１０に照明器具１５がねじ止めにより固定支持されている。一方、照明器具取付位置Ｐを除いた範囲の天井下地板材２，２，…下面に天井仕上げ材３，３，…が貼着されている。【選択図】図１
2014102999.tif 000002
【特許請求の範囲】
【請求項１】
天井下地構成材の下面に天井下地板材が設けられ、該天井下地板材の下面に天井仕上げ材と薄型の照明器具とが並んで設けられた天井構造であって、
上記天井下地板材の下面において上記照明器具を取り付けるための照明器具取付位置にボードアンカーが固定され、該ボードアンカーに取付部材を介して上記照明器具が固定支持されている一方、
上記照明器具取付位置を除いた範囲の天井下地板材下面に上記天井仕上げ材が貼着されていることを特徴とする薄型照明器具が配置された天井構造。
【請求項２】
請求項１において、
照明器具は、天井仕上げ材と幅及び長さが同じか、又は幅が同じで長さが１／２であり、かつ厚さが同じか同程度であることを特徴とする薄型照明器具が配置された天井構造。
【請求項３】
天井下地構成材の下面に天井下地板材が設けられ、該天井下地板材の下面に天井仕上げ材と薄型の照明器具とが並んで設けられた天井構造の施工方法であって、
上記天井下地構成材の下面に天井下地板材を固定した後、
天井下地板材の下面において上記照明器具を取り付けるための照明器具取付位置を除いた範囲に天井仕上げ材を貼る工程と、
上記照明器具取付位置の天井下地板材下面にボードアンカーを固定して、該ボードアンカーに取付部材を介して照明器具を取付固定する工程とを行うことを特徴とする薄型照明器具が配置された天井構造の施工方法。
【発明の詳細な説明】
【技術分野】
【０００１】
本発明は、天井に薄型照明器具が設置されるときの天井構造及びその施工方法に関する。
【背景技術】
【０００２】
一般に、天井に照明器具を取り付ける場合、天井下地材に対応する位置の天井仕上げ材に貫通孔を開けて電源コードを引き出し、その電源コードに接続した照明器具を天井下地材に固定することで、同照明器具を天井面に設置するようになされている。
【０００３】
このような構造では、照明器具と天井仕上げ材との間に統一感のある意匠性が得られないばかりか、照明器具の取付位置も下地材のある位置に限定されてしまい、天井仕上げ材と下地材との双方に取付けのための加工を施す必要があって施工が面倒となる。
【０００４】
そこで、従来、例えば特許文献１に示されるように、天井下地材として格子状に区切られたフレームを設け、この一部のフレーム内に照明器具を、また他のフレーム内に天井材をそれぞれ嵌め込むようにしたシステム天井が提案されている。
【０００５】
また、特許文献２には、複数の鋼製天井下地を組み、その開口に天井材や薄型の照明器具を嵌め込んで固定する構造が示されている。
【先行技術文献】
【特許文献】
【０００６】
【特許文献１】特開平８−４１９０号公報
【特許文献２】特開２０１１−２２２３０１号公報
【発明の概要】
【発明が解決しようとする課題】
【０００７】
しかし、上記特許文献１のものでは、複数のフレーム内に天井材や照明器具を嵌め込むだけでよく、施工が容易であるものの、フレームが露出するので、その形状が目立ち、天井材と照明器具との一体感は得難いという欠点がある。
【０００８】
一方、特許文献２のものでは、薄型の照明器具を天井材と並べて天井下地の開口に嵌め込むので、照明器具と天井材との一体感があるが、照明器具の設置位置は下地の位置に制限されてしまうという難がある。
【０００９】
本発明は斯かる諸点に鑑みてなされたものであり、その目的は、天井構造に工夫を加えることにより、照明器具と天井仕上げ材との一体感のある意匠性が得られ、かつ天井下地構成材（軸材）の位置に関係なく天井面の任意の位置に照明器具を設置できるようにすることにある。
【課題を解決するための手段】
【００１０】
上記の目的を達成するために、この発明では、天井下地構成材の下面に設けられた天井下地板材の下面に薄型の照明器具を、該下面に貼着される天井仕上げ材と同様にそれらと並べて設けるようにした。
【００１１】
具体的には、第１の発明は、天井下地構成材の下面に天井下地板材が設けられ、この天井下地板材の下面に天井仕上げ材と薄型の照明器具とが並んで設けられた天井構造であって、上記天井下地板材の下面において上記照明器具を取り付けるための照明器具取付位置にボードアンカーが固定され、このボードアンカーに取付部材を介して上記照明器具が固定支持されている一方、上記照明器具取付位置を除いた範囲の天井下地板材下面に上記天井仕上げ材が貼着されていることを特徴とする。
【００１２】
この第１の発明では、天井下地板材の下面において、照明器具取付位置にはボードアンカーが固定されて、そのボードアンカーに薄型の照明器具が取付部材を介して固定支持されている一方、取付位置を除いた範囲には天井仕上げ材が貼着されているので、天井下地板材の下面に薄型の照明器具が天井仕上げ材と並んで設けられることとなり、照明器具と天井仕上げ材との一体感のある意匠性が得られる。
【００１３】
また、照明器具は取付部材及びボードアンカーを介して天井下地板材に固定支持されているので、天井下地板材上側の天井下地構成材（軸材）の位置に関係なく設置される。
【００１４】
第２の発明は、第１の発明において、照明器具は、天井仕上げ材と幅及び長さが同じか、又は幅が同じで長さが１／２であり、かつ厚さが同じか同程度であることを特徴とする。
【００１５】
この第２の発明では、照明器具の幅は天井仕上げ材と同じであり、長さが天井仕上げ材と長さが同じか又は１／２であり、かつ厚さが天井仕上げ材と同じか同程度であるので、照明器具を天井仕上げ材と同様に取り扱うことができる。その結果、照明器具の配置の自由度が高くなり、天井仕上げ材と照明器具とが面一となってフラットな天井面となり、より一層一体感のある意匠性が得られるとともに、施工もより容易となる。
【００１６】
第３の発明は、天井下地構成材の下面に天井下地板材が設けられ、この天井下地板材の下面に天井仕上げ材と薄型の照明器具とが並んで設けられた天井構造の施工方法であって、上記天井下地構成材の下面に天井下地板材を固定する。その後、天井下地板材の下面において上記照明器具を取り付けるための照明器具取付位置を除いた範囲に天井仕上げ材を貼る工程と、上記照明器具取付位置の天井下地板材下面にボードアンカーを固定して、このボードアンカーに取付部材を介して照明器具を取付固定する工程とを行うことを特徴とする。
【００１７】
この第３の発明の施工方法では、天井下地構成材の下面に天井下地板材が固定されると、この天井下地板材の下面において照明器具取付位置を除いた範囲に天井仕上げ材が貼られる。また、この天井仕上げ材の施工と前後して、或いは同時に、照明器具取付位置の天井下地板材下面にはボードアンカーが固定され、このボードアンカーに照明器具が取付部材を介して取付固定されて固定される。このことで、上記天井構造の施工を容易に行うことができる。
【発明の効果】
【００１８】
以上説明したように、第１の発明によると、天井下地構成材の下面に天井下地板材が設けられ、その天井下地板材の下面に天井仕上げ材と薄型の照明器具とが並んで設けられた天井構造として、照明器具取付位置の天井下地板材にボードアンカーが固定され、このボードアンカーに照明器具が固定支持され、照明器具取付位置を除いた天井下地板材に天井仕上げ材が貼着されていることにより、照明器具及び天井仕上げ材によって一体感のある意匠性が得られるとともに、天井下地構成材（軸材）の位置に関係なく天井面に自由な位置に照明器具を設置することができる。
【００１９】
第２の発明によれば、照明器具は、天井仕上げ材と幅及び長さが同じか、又は幅が同じで長さが１／２であり、かつ厚さが同じか同程度であるので、照明器具を天井仕上げ材と同様に取り扱うことができ、照明器具の配置の自由度を高くして天井仕上げ材と照明器具とのより一層一体感のある意匠性が得られるとともに、施工もより容易となる。
【００２０】
第３の発明によると、天井下地構成材の下面に天井下地板材が設けられ、その天井下地板材の下面に天井仕上げ材と薄型の照明器具とが並んで設けられた天井構造の施工方法として、天井下地構成材の下面に固定された天井下地板材の下面に対し、照明器具取付位置を除いた範囲に天井仕上げ材を貼る一方、照明器具取付位置にボードアンカーを固定し、それに取付部材を介して照明器具を取付固定することにより、天井構造の施工の容易化を図ることができる。
【図面の簡単な説明】
【００２１】
【図１】図１は、本発明の実施形態に係る天井構造を分解して下側から見た状態で示す斜視図である。
【図２】図２は、天井下地板材の下面に天井仕上げ材と薄型照明器具とが並んで施工された天井構造を示す斜視図である。
【図３】図３は、取付部材を下側から見て示す拡大平面図である。
【図４】図４は、照明器具を下側から見て示す拡大斜視図である。
【図５】図５は、照明器具の取付構造を概略的に示す断面図である。
【図６】図６は、天井構造の施工方法において天井下地板材の下面に天井仕上げ材を施工する際の割付と照明器具取付位置の関係を例示する図である。
【図７】図７（ａ）は、天井構造の施工方法において天井下地板材の照明器具取付位置にボードアンカーを取付固定する手順を示す斜視図、図７（ｂ）は、天井下地板材にボードアンカーが取り付けられる構造を示す断面図である。
【図８】図８（ａ）は、ボードアンカーに取付部材をねじ止めする手順を示す斜視図、図８（ｂ）は、ボードアンカーに取付部材が取付ねじにより取り付けられる構造を示す断面図である。
【図９】図９は、取付部材に照明器具を固定する手順を示す斜視図である。
【発明を実施するための形態】
【００２２】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２３】
（天井構造）
図１は本発明の実施形態に係る天井構造を示す。この天井構造は、建物の室内の天井部に配置された木材や軽量鋼からなる野縁等の天井下地構成材１（軸材）と、この天井下地構成材１の下面に並べられて施工（捨て張り）された石膏ボード等の複数枚の天井下地板材２，２，…（１枚のみを示す）とを備えている。これらの天井下地板材２，２，…の下面には、図２にも示すように、複数枚の天井仕上げ材３，３，…と、部屋を照明するための少なくとも１つの薄型矩形状の照明器具１５とが並んで設けられている。
【００２４】
上記各天井仕上げ材３は薄型の矩形板状のもので、例えば幅３０３ｍｍ、長さ３０３ｍｍの正方形状、又は幅３０３ｍｍ、長さ６０６ｍｍの長方形状が用いられる。天井仕上げ材３の厚さは、例えば９ｍｍや１２ｍｍである。この実施形態では、正方形状の天井仕上げ材３を例示している。
【００２５】
各天井仕上げ材３の長さ方向及び幅方向に対向する端面にはそれぞれ雌実３ａ及び雄実３ｂが形成されており、これらの雌実３ａ及び雄実３ｂにより、隣り合う天井仕上げ材３，３同士が本実構造によって接合されている。
【００２６】
上記複数枚の天井下地板材２，２，…の下面には、上記照明器具１５を取り付けるための照明器具取付位置Ｐが設定され、その照明器具取付位置Ｐの略中央部に例えば直径１５０ｍｍ程度の貫通状の配線挿通孔Ｈが開口されており、この配線挿通孔Ｈに、照明器具１５を図外の電源やスイッチ等に接続するための配線Ｃ１，Ｃ２が挿通される。
【００２７】
また、天井下地板材２，２，…下面の照明器具取付位置Ｐには、後述する取付部材１０におけるねじ挿通孔１１，１１，…に対応する位置に例えば４本のボードアンカー５，５，…が螺合されて固定されている。各ボードアンカー５は、図７（ｂ）に示すように、頭部５ａ端面にドライバ係合穴（図示せず）を有しかつ軸部５ｂ外周にねじ部５ｃを有する鉄や鉛等の軟らかい金属製のもので、ドライバ係合穴にドライバＤ（ねじ回し）の刃部を係合してボードアンカー５を回転させることで、そのボードアンカー５が天井下地板材２に螺合して固定される。また、図８（ｂ）に示すように、その状態でドライバ係合穴から取付ねじ６が軸部５ｂ内部に螺合されたときに、それに伴い軸部５ｂが拡開して天井下地板材２の内部又は上面に抜け落ちないように係止される。
【００２８】
上記ボードアンカー５，５，…には取付部材１０が固定され、この取付部材１０に照明器具１５が固定されて支持されている。すなわち、照明器具１５は取付部材１０を介してボードアンカー５，５，…に固定支持されている。
【００２９】
上記取付部材１０は、図３に拡大して示すように、水平方向に延びる正方形の枠板状のもので、その外周部での各辺部の長さは、照明器具１５の各辺部と略同じとされており、取付部材１０に下側から照明器具１５を重ねたときに、取付部材１０と、照明器具１５のフランジ部１５ａを除く部分とが互いにはみ出すことなくぴったりと重なるようになっている。
【００３０】
取付部材１０の例えば４つの隅角部にはねじ挿通孔１１，１１，…が貫通して形成されており、取付部材１０の下側からその隅角部にあるねじ挿通孔１１，１１，…に取付ねじ６，６，…を挿通して、その各取付ねじ６をボードアンカー５の軸部５ｂ内に螺合することにより、取付部材１０が取付ねじ６，６，…を介してボードアンカー５，５，…、従って該ボードアンカー５，５，…が係止される天井下地板材２，２，…に固定支持されている。
【００３１】
また、取付部材１０の各辺部の長さ方向の中央部には、部分的に下側に向かって膨出するように変形したねじ取付部１０ａが形成され、このねじ取付部１０ａの中央部には雌ねじ孔１２が、照明器具１５の後述するねじ挿通孔１６の位置に対応するように貫通形成されている。
【００３２】
上記照明器具１５は各天井仕上げ材３と幅及び長さが同じ正方形プレート状のものであり、厚さも各天井仕上げ材３と同じかそれと同程度である。例えば、天井仕上げ材３が幅３０３ｍｍ、長さ３０３ｍｍ、厚さ９ｍｍの正方形であるとき、照明器具１５の幅は３０３ｍｍ、長さは３０３ｍｍ、厚さは９ｍｍとされている。尚、天井仕上げ材３が長方形であるとき、照明器具１５は各天井仕上げ材３と幅が同じで長さが１／２であってもよい。
【００３３】
照明器具１５は、外周縁部を除く中間部が下向きに発光するようになっており、その下端部には外側に向いて水平方向に突出するフランジ部１５ａが一体的に設けられている。このフランジ部１５ａは、照明器具１５を天井下地板材２に取付施工したときに、その周りの天井仕上げ材３，３，…の端部下面に被さって、照明器具１５と天井仕上げ材３との隙間（雄実３ｂ側を含む）を下側から隠蔽するための役目を有する。
【００３４】
照明器具１５の光源は、例えばＬＥＤ（発光ダイオード）や面発光体（有機ＥＬシート）が好ましい。その他、薄型を確保できるのであれば小型の電球や蛍光灯等であってもよい。
【００３５】
上記照明器具１５の外周縁部には、その各辺部の長さ方向の中央部に照明器具１５の上下面（表裏面）に亘って貫通するねじ挿通孔１６，１６，…が形成され、このねじ挿通孔１６の下端開口部は、他の部分よりも大径となって取付ねじ１７の頭部１７ａを収容するようになっている（図５参照）。そして、この各ねじ挿通孔１６に、照明器具取付用の取付ねじ１７を挿通し、その取付ねじ１７の先端部（上端部）を上記取付部材１０の対応する雌ねじ孔１２に螺合締結することで、照明器具１５を取付部材１０に取付固定するようになっている。
【００３６】
以上により、図５に示すように、ボードアンカー５，５，…に取付部材１０が取付ねじ６，６，…により固定され、その取付部材１０に照明器具１５が取付ねじ１７，１７，…により取付固定されている。また、上記照明器具１５を電源に接続するための配線Ｃ１，Ｃ２は、電源側配線Ｃ１と、照明器具１５に接続されている器具側配線Ｃ２とに分かれ、両者は、各々の端部のコネクタＣ３，Ｃ３によって接続されている。
【００３７】
そして、上記照明器具取付位置Ｐを除いた範囲の天井下地板材２，２，…下面に照明器具１５と同じ大きさの複数の天井仕上げ材３，３，…が並べられて貼着されており、このことで、図２に示すように、天井面は恰も照明器具１５が天井仕上げ材３，３，…の１枚に置き換わって並べられているような外観を呈している。
【００３８】
（施工方法）
次に、上記天井構造の施工方法について図６〜図９に基づき説明する。この施工方法は、天井下地構成材１の下面に天井下地板材２，２，…が設けられ、その天井下地板材２，２，…の下面に天井仕上げ材３，３，…と薄型の照明器具１５とが並んで設けられた天井構造の施工方法である。
【００３９】
まず、上記天井下地構成材１の下面に複数枚の天井下地板材２，２，…を固定する。次に、これら天井下地板材２，２，…の下面において、照明器具１５を取り付けるための照明器具取付位置Ｐの略中央部に配線挿通孔Ｈを貫通形成し、この配線挿通孔Ｈから、先端にコネクタＣ３を有する電源側配線Ｃ１を天井下地板材２，２，…の上側（天井裏側）から引き出して挿通させておく。
【００４０】
その後、図６に示すように、天井下地板材２，２，…の下面において、照明器具１５を取り付けるための照明器具取付位置Ｐを除いた範囲に天井仕上げ材３，３，…を並べて貼る。具体的には、照明器具取付位置Ｐに合わせて天井面における天井仕上げ材３，３，…の割付を、照明器具取付位置Ｐが確保されるように決定した後、その割付に従って天井仕上げ材３，３，…を天井面の端部から順に照明器具取付位置Ｐを除いて貼る（尚、図６は天井仕上げ材３，３，…の割付の例であり、説明の都合上、照明器具取付位置Ｐは図２の照明器具１５の設置位置と異なっている）。
【００４１】
このように天井仕上げ材３，３，…が施工されると、照明器具取付位置Ｐでは、天井仕上げ材３が欠落した状態の収容凹部４が形成される。その後、図７（ａ）に示すように、その収容凹部４の底面に相当する、取付位置Ｐの天井下地板材２，２，…下面に取付部材１０を仮置きして、その隅角部のねじ挿通孔１１，１１，…の位置に印を付け、ボードアンカー取付位置Ｐ１，Ｐ１，…とする。次いで、図７（ｂ）にも示すように、その印のボードアンカー取付位置Ｐ１，Ｐ１，…にそれぞれボードアンカー５，５，…をねじ込んで固定する。尚、取付部材１０に代え、予め用意した型紙を使用してボードアンカー取付位置Ｐ１，Ｐ１，…を決定することもできる。
【００４２】
次に、図８（ａ）に示すように、上記ボードアンカー５，５，…に取付部材１０をねじ止めする。具体的には、図８（ｂ）に示すように、取付部材１０の各ねじ挿通孔１１に挿通された取付ねじ６をボードアンカー５の頭部５ａから軸部５ｂ内に螺合してその軸部５ｂを拡開させ、天井下地板材２の内部又は上面に抜け落ちないように係止することで、取付部材１０を、取付ねじ６，６，…を介してボードアンカー５，５，…及び天井下地板材２，２，…に固定する。
【００４３】
その後、図９に示すように、上記収容凹部４の内部に照明器具１５を嵌挿して上記取付部材１０の下面に重ね、その照明器具１５の各ねじ挿通孔１６に取付ねじ１７を挿通して、その先端部（上端部）を取付部材１０の雌ねじ孔１２に螺合締結する。このことにより、照明器具１５を収容凹部４内に収容した状態で取付ねじ１７，１７，…により取付部材１０に固定する。
【００４４】
そのとき、照明器具１５側の配線Ｃ２の先端のコネクタＣ３を、上記照明器具取付位置Ｐの配線挿通孔Ｈから引き出されている電源側配線Ｃ１先端のコネクタＣ３に接合して、両配線Ｃ１，Ｃ２を接続し、余分な長さの配線Ｃ１，Ｃ２を配線挿通孔Ｈから天井下地板材２，２，…の上側（天井裏側）に押し込みながら照明器具１５を固定する。
【００４５】
このように天井構造の施工の際には、上記の手順で行うことによって施工を容易に行うことができる。
【００４６】
尚、上記の施工方法では、天井下地板材２，２，…の下面に対し、全ての天井仕上げ材３，３，…を貼着施工した後に照明器具１５を取り付けるようにしている。これに代え、天井下地板材２，２，…の下面に、最初に照明器具１５を取り付けた後、それに隣接して天井仕上げ材３，３，…を貼着施工するようにしてもよく、或いは、天井仕上げ材３，３，…の貼着と照明器具１５の取付けとを同時に並行して施工することもできる。
【００４７】
したがって、上記実施形態においては、天井下地構成材１の下面に施工された天井下地板材２，２，…の下面に対し、照明器具取付位置Ｐにボードアンカー５，５，…を介して薄型の照明器具１５が取付部材１０にて固定支持されている一方、取付位置Ｐを除いた範囲には天井仕上げ材３，３，…が貼着されており、天井下地板材２，２，…の下面に薄型の照明器具１５と天井仕上げ材３，３，…とが並んで設けられている。このことで、照明器具１５及び天井仕上げ材３，３，…の双方により一体感のある意匠性が得られる。
【００４８】
また、照明器具１５は、取付部材１０及びボードアンカー５，５，…により天井下地板材２，２，…の下面に固定支持されているので、その照明器具１５を天井下地板材２，２，…上側の天井下地構成材１（軸材）の位置に関係なく設置することができる。
【００４９】
さらに、天井下地板材２，２，…に取付部材１０がボードアンカー５，５，…及び取付ねじ６，６，…により固定され、その取付部材１０に照明器具１５が取付ねじ１７，１７，…によって固定されているので、照明器具１５の施工やその修理等のメンテナンスを容易に行うことができる。
【００５０】
また、照明器具１５の幅は天井仕上げ材３と同じであり、長さが天井仕上げ材３と長さが同じ（又は１／２）であり、かつ厚さが天井仕上げ材３，３，…と同じか同程度であるので、照明器具１５の形状や大きさが天井仕上げ材３と同じとなって、それと同様に取り扱うことができる。そのため、天井下地板材２，２，…下面での照明器具１５の配置の自由度が高くなるとともに、天井仕上げ材３，３，…と照明器具１５とが面一となってフラットな天井面となり、一体感のある意匠性が得られ、さらには施工もより容易となる。
【００５１】
（その他の実施形態）
尚、上記実施形態では、ボードアンカー５，５，…に固定された取付部材１０に照明器具１５をねじ止めするようにしているが、このような取付構造のものに限定されず、取付部材１０に照明器具１５を係合構造によって固定するようにしてもよく、取付部材１０に照明器具１５を固定支持できるようにすればよい。
【００５２】
また、照明器具１５は、上記実施形態のように、天井仕上げ材３と幅及び長さが同じか又は幅が同じで長さが１／２であり、かつ厚さが同じか同程度である必要はないが、照明器具１５の配置の自由度、一体感のある意匠性、施工の容易性の点で、実施形態のようにすることが望ましい。
【産業上の利用可能性】
【００５３】
本発明は、照明器具と天井仕上げ材との一体感のある意匠性が得られ、かつ照明器具を天井下地構成材の位置に関係なく天井面の任意の位置に設置でき、極めて有用で産業上の利用可能性が高い。
【符号の説明】
【００５４】
１  天井下地構成材
２  天井下地板材
Ｐ  照明器具取付位置
３  天井仕上げ材
５  ボードアンカー
６  取付ねじ（取付部材用）
１０  取付部材
１１  ねじ挿通孔
１２  雌ねじ孔
１５  照明器具
１６  ねじ挿通孔
１７  取付ねじ（照明器具用）
【図１】
2014102999.tif 000003
【図２】
2014102999.tif 000004
【図３】
2014102999.tif 000005
【図４】
2014102999.tif 000006
【図５】
2014102999.tif 000007
【図６】
2014102999.tif 000008
【図７】
2014102999.tif 000009
【図８】
2014102999.tif 000010
【図９】
2014102999.tif 000011